(57)【特許請求の範囲】
【請求項１】
フードカバー（４）の周縁の一縁部分を、下向きに開口しているフード部（ａ）の対応する開放縁の一縁部分に設けられている既設の油受け（２１ａ）にクリアランス（ａ１）を確保した状態で引っ掛けて、この引っ掛け部を回動支点として前記フードカバー（４）を前記フード部（ａ）に回動可能に設けるとともに、前記フードカバー（４）の周縁の残りの任意な縁部分を、前記フード部（ａ）の対応する開放縁の縁部分に取着手段（７）で取着するように構成してなり、
前記取着手段（７）は、前記フードカバー（４）の前記任意な縁部分に設けられる係合部（１７ｂ）と、
この係合部（１７ｂ）と対応する前記フード部（ａ）の開放縁部分に設けられて、前記係合部(１７ｂ)を係止し且つ前記フードカバー（４）を、前記クリアランス（ａ１）を利用して移動させたときに、前記係合部（１７ｂ）の係止関係を解除するための仮止め機構（１７）と、
この仮止め機構（１７）に前記係合部（１７ｂ）を係止させた状態で、該係合部（１７ｂ）を前記仮止め機構（１７）に解除可能に締結させるための連結具（２７）と、を備え、
前記仮止め機構（１７）は、前記係合部（１７ｂ）を面係合状に仮止め係止するための被係止部（１７ａ）を備え、この被係止部（１７ａ）に前記係合部（１７ｂ）を面係合状に係止させることによって、前記フードカバー（４）が前記フード部（ａ）に仮止め係止関係で支持されるようにしていることを特徴とするレンジフードファン。
【請求項２】
前記引っ掛け部は、前記フードカバー（４）の周縁の後縁に設けられる引っ掛け片（１４ａ）であり、
かつ、前記被係止部（１７ａ）は、前記フード部（ａ）の前縁の下方から該フード部（ａ）の前方の天井方向に向かって上向き傾斜状に設けられ、前記係合部（１７ｂ）は、前記被係止部（１７ａ）に対して面係合状に係止されるように、前記フードカバー（４）の前縁から背面方向に向けて曲設され、
さらに、前記クリアランス（ａ１）は、前記被係止部に対する前記係合部の係止状態を解除するときに、フードカバー（４）を前記フード部（ａ）の前方に向けて移動させることができるように、前記フードカバー（４）の後縁に設けられている前記油受け（２１ａ）の前側に確保されていることを特徴とする請求項１記載のレンジフードファン。
【請求項３】
フードカバー（４）の周縁の後縁を、下向きに開口しているフード部（ａ）の対応する開放縁の一縁部分にクリアランス（ａ１）を確保した状態で引っ掛けて、この引っ掛け部を回動支点として前記フードカバー（４）を前記フード部（ａ）に回動可能に設けるとともに、前記フードカバー（４）の周縁の前縁を、前記フード部（ａ）の対応する開放縁の縁部分に取着手段（７）で取着するように構成してなり、
前記取着手段（７）は、前記フードカバー（４）の前記任意な縁部分に設けられる係合部（１７ｂ）と、
この係合部（１７ｂ）と対応する前記フード部（ａ）の開放縁部分に設けられて、前記係合部(１７ｂ)を係止し且つ前記フードカバー（４）を、前記クリアランス（ａ１）を利用して移動させたときに、前記係合部（１７ｂ）の係止関係を解除するための被係止部（１７ａ）を備えている仮止め機構（１７）と、
この仮止め機構（１７）に前記係合部（１７ｂ）を係止させた状態で、該係合部（１７ｂ）を前記仮止め機構（１７）に解除可能に締結させるための連結具（２７）と、を備え、
前記被係止部（１７ａ）は、前記フード部（ａ）の開放縁の前縁の油受け（２ａ）で兼用し、前記係合部（１７ｂ）を前記フードカバー（４）の前縁から起設し、前記クリアランス（ａ１）を前記フードカバー（４）の後縁の後方側に確保していることを特徴とすることを特徴とするレンジフードファン。
【請求項４】
フードカバー（４）の周縁の一縁を、下向きに開口しているフード部（ａ）の対応する開放縁の一縁部分に引っ掛けて、この引っ掛け部を回動支点として前記フードカバー（４）を回動可能に設けるとともに、該フードカバー（４）の周縁の残りの任意な縁部分を、前記フード部（ａ）の対応する開放縁の縁部分に取着手段（７）で取着するように構成してなり、
前記取着手段（７）は、前記フードカバー（４）と前記フード部（ａ）とを解除可能の締結するための連結具（２７）と、
前記フード部（ａ）と前記フードカバー（４）との間に形成されて、前記連結具（２７）による締結状態を解除させたのちに、前記フードカバー（４）の下側への人為的な引き下げによって係合関係が解除されるように形成されている仮止め用の弾性係合機構（３７）と、を備えていることを特徴とするレンジフードファン。
【請求項５】
フードカバー（４）の周縁の一縁部分を、下向きに開口しているフード部（ａ）の対応する開放縁の一縁部分に設けられている既設の油受け（２１ａ）に引っ掛けて、この引っ掛け部を回動支点として前記フードカバー（４）を前記フード部（ａ）に回動可能に設け、
かつ、前記フード部（ａ）の前板（２）の裏面部分と、この裏面部分に対応する前記フードカバー（４）の裏面部分との間に、該フードカバー（４）の下側への人為的な引き下げによって係合関係が解除されるように形成されている仮止め用の弾性係合機構（３７）を設けるとともに、該弾性係合機構（３７）の係合関係を解除させたときに、前記フード部（ａ）の前縁に設けられている既設の油受け（２ａ）に係止させるための掛け片（１４ｂ）を、前記フードカバー（４）の前縁に設け、
さらに、前記フードカバー（４）を前記フード部（ａ）の背板（２１）側に移動させるためのクリアランス（ａ１）を、前記油受け（２１ａ）の後側に確保していることを特徴とするレンジフードファン。
【請求項６】
前記フードカバー（４）に備えられている開口（１６ａ）を包囲するように、前記フードカバー（４）の上面に接続ダクト（５）を着脱自在に取り付け、
前記接続ダクト（５）は、前記フード部（ａ）内に縦型に設置されている送風機（３）の吸気口（１３）に突き合わせ連絡させるための連絡口（２５ｂ）を開口している垂直状の矩形板部（２５ａ）を備えているとともに、この矩形板部（２５ａ）から前記フードカバー（４）の上面に向かうように連設させた湾曲胴部（２５）を備えている側面視で略ベンド管形状に形成されていることを特徴とする請求項１から請求項５のいずれか1項に記載のレンジフードファン。
【発明の詳細な説明】
【０００１】
【発明の属する技術分野】
本発明は、レンジフードファン、更に詳しくはフード部の下方開放部を開閉するフードカバー(下板)の取付構造の改良に関するものである。
【０００２】
【技術背景】
平型レンジフードファンは、専らフード部の下方開放部をフードカバー(下板)で被蓋しており、ブーツ型等その他のレンジフードファンの中にもフード部の下方開放部をフードカバー(下板)で被蓋したタイプのものがある。
フードカバー(下板)の深さは種類によって異なるも、概括的にはフード部内に進入する凹窪状とし、その凹窪部を廃ガスの捕獲空間としている。
そして、このフードカバー(下板)は４コーナーをフード部にネジ止めされ、フード部内を清掃する時や内部の送風機を保守管理する時等にフード部を開放することができるようになっている。
【０００３】
ところが、フード部を開放するに際して、全てのネジ(連結具)を外すまでフードカバーが落下しないようにフードカバー自体を手で支えておかねば危険である。
【０００４】
【発明が解決しようとする課題】
本発明は上記従来事情に鑑みてなされたもので，  その目的とする処は、フード部の下方開放部へを閉口するフードカバーを操作してその下方開放部を簡単に開口できるレンジフードファンを提供することにある。
【０００５】
【課題を解決するための手段】
前記課題を解決するために講じた技術的手段は、請求項１では、フードカバーの周縁の一縁部分を、フード部の対応する開放縁の一縁部分に設けられている油受けにクリアランスを確保した状態で引っ掛けて、この引っ掛け部を回動支点として前記フードカバーを前記フード部に回動可能に設けるとともに、前記フードカバーの周縁の残りの任意な縁部分を、前記フード部の対応する開放縁の縁部分に取着手段で取着するように構成してなり、
前記取着手段は、前記フードカバーの前記任意な縁部分に設けられる係合部と、この係合部と対応する前記フード部の開放縁部分に設けられて、前記係合部を係止し且つ前記フードカバーを、前記クリアランスを利用して移動させたときに、前記係合部の係止状態を解除するための仮止め機構と、この仮止め機構に前記係合部を係止させた状態で、前記フードカバーを前記仮止め機構に解除可能に締結するための連結具と、を備え、
前記仮止め機構は、前記係合部を面係合状に仮止め係止するための被係止部を備え、この被係止部に前記係合部を面係合状に係止させることによって、前記フードカバーが前記フード部に仮止め係止状態で支持されるようにしていることを要旨とする。
請求項２では、前記引っ掛け部が、前記フードカバーの周縁の後縁に設けられる引っ掛け片であり、かつ、前記被係止部は、前記フード部の前縁の下方から該フード部の前方の天井方向に向かって上向き傾斜状に設けられ、前記係合部は、前記被係止部に対して面係合状に係止されるように、前記フードカバーの前縁から背面方向に向けて曲設され、さらに、前記クリアランスは、前記被係止部に対する前記係合部の係止状態を解除するときに、フードカバーを前記フード部の前方に向けて移動させることができるように、前記フードカバーの後縁に設けられている既設の油受けの前側に確保されていることを要旨とする。
請求項３では、フードカバーの周縁の後縁を、下向きに開口しているフード部の対応する開放縁の一縁部分にクリアランスを確保した状態で引っ掛けて、この引っ掛け部を回動支点として前記フードカバーを前記フード部に回動可能に設けるとともに、前記フードカバーの周縁の前縁を、前記フード部の対応する開放縁の縁部分に取着手段で取着するように構成してなり、
前記取着手段は、前記フードカバーの前記任意な縁部分に設けられる係合部と、この係合部と対応する前記フード部の開放縁部分に設けられて、前記係合部を係止し且つ前記フードカバーを、前記クリアランスを利用して移動させたときに、前記係合部の係止関係を解除するための被係止部を備えている仮止め機構と、この仮止め機構に前記係合部を係止させた状態で、該係合部を前記仮止め機構に解除可能に締結させるための連結具と、を備え、
前記被係止部は、前記フード部の開放縁の前縁の油受けで兼用し、前記係合部を前記フードカバーの前縁から起設し、前記クリアランスを前記フードカバーの後縁の後方側に確保していることを特徴とすることを要旨とする。
請求項４では、フードカバーの周縁の一縁を、フード部の対応する開放縁の一縁部分に引っ掛けて、この引っ掛け部を回動支点として前記フードカバーを回動可能に設けるとともに、該フードカバーの周縁の残りの任意な縁部分を、前記フード部の対応する開放縁の縁部分に取着手段で取着するように構成してなり、
前記取着手段は、前記フードカバーと前記フード部とを解除可能の締結するための連結具と、前記フード部と前記フードカバーとの間に形成されて、前記連結具による締結状態を解除させたのちに、前記フードカバーの下側への人為的な引き下げによって係合関係が解除されるように形成されている仮止め用の弾性係合機構と、を備えていることを要旨とする。
請求項５では、フードカバーの周縁の一縁部分を、フード部の対応する開放縁の一縁部分に設けられている油受けに引っ掛けて、この引っ掛け部を回動支点として前記フードカバーを前記フード部に回動可能に設け、かつ、前記フード部の前板の裏面部分と、この裏面部分に対応する前記フードカバーの裏面部分との間に、該フードカバーの下側への人為的な引き下げによって係合関係が解除されるように形成されている仮止め用の弾性係合機構を設けるとともに、該弾性係合機構の係合関係を解除させたときに、前記フード部（ａ）の前縁に設けられている油受けに係止されるための掛け片を、前記フードカバーの前縁に設け、さらに、前記フードカバーを前記フード部の背板側に移動させるためのクリアランスを、前記油受けに確保していることを要旨とする。
請求項６では、前記フードカバーに備えられている開口を包囲するように、前記フードカバーの上面に接続ダクトを着脱自在に取り付け、
前記接続ダクトは、前記フード部内に縦型に設置されている送風機の吸気口に突き合わせ連絡させるための連絡口を開口している垂直状の矩形板部を備えているとともに、この矩形板部から前記フードカバーの上面に向かうように連設させた湾曲胴部を備えている側面視で略ベンド管形状に形成されていることを要旨とする。
【０００６】
(作用)前記技術的手段によれば下記の作用を奏する。
請求項１に記載の構成によれば、連結具による締結状態を解除しても、被係止部に対する係合部の係止関係が維持されてフードカバーはフード部への引っ掛け部を支点に下方に回動することはない。そして、被係止部に対する係合部の係止関係が解除されるようにフードカバーを、前記クリアランスを利用して移動させたのちに、下方へ回動させて初めてフード部を開放することができる。
また、連結具を解除しても、フードカバーの前縁から背後方向に向かって曲設されている係止部を、面係合状に係止するための被係止部が、フード部の前縁の下方から前方の室内天井方向に向かって上向き傾斜状に設けられていることで、フードカバーを被係止部に沿うように室内方向の斜め上方に向けて故意に引き出さなければ、被係止部に対する係合部の係止関係が解除されない安全な誤落下防止策を構成することができる。
請求項３に記載の構成によれば、被係止部をフード部の縁の既存の油受けで兼用しているから、フード部に何ら改造を加える必要がなく、製作コストも低減できる。
請求項４に記載の構成によれば、請求項１と同様に連結具の締結状態を解除しても、仮止め用の弾性係合機構によってフードカバーはフード部との引っ掛け部を支点に下方に回動しない。そして、弾性係合機構の弾性係合力以上の力での人為的なフードカバーの引っ張りによってのみ、フードカバーを回動させてフード部を開放することができる。
請求項５に記載の構成によれば、フードカバーを下方に引き下げて解除してもフードカバーの前縁の掛け片が既設の油受けに引っ掛かって、誤回動することがない。そして、油受けとの引っ掛かりを逃がすように、フードカバーを若干上方に持ち上げながら後方に移動させることによってフードカバーを回動させてフード部を開放することができる。
請求項６に記載の構成によれば、調理器具から立ち上ぼる廃ガスは、フードカバー４のグリスフィルターに案内されて含有される油脂分などが吸着除去されて送風機の吸込作用で接続ダクト５を通って該送付機に吸い込まれて屋外に排気される。
そして、接続ダクトを清掃するときには、請求項１から請求項４のように、フードカバーのフード部に対する引っ掛け部を回動支点として下方に回動させることによって、フードカバーの上面に着脱自在に取り付けられている接続ダクトを、フード部内からフード部の下方へ取り出すことができる。
【０００７】
次に、本発明に係るレンジフードファンの実施の形態を説明すると、図１乃至図８に示す実施の形態は、数例の実施の形態を示し、符号Ａは、レンジフードファンである。
【０００８】
まず、図１乃至図４に示すレンジフードファンを説明すると、このレンジフードファンＡはブーツ型であり、左右側板11、背板21、天板31とで構成される平面視コ型の函体１の前方開放部を前板２で着脱可能に被蓋したフード部ａ内に縦型の送風機（多翼ファンを内蔵している）３を設置し、そのフード部ａの下方開放部をフードカバー４で開閉可能に被蓋し、更にそのフードカバー４内と送風機３とを連通する接続ダクト５をフードカバー４の上面に取付けて、フードカバー４内とその接続ダクト５とで廃ガス流路を構成している。
【０００９】
前記フードカバー４は、図１、図２に示すように周縁の縁枠部14で囲繞された中央部分を凹窪状とした下向き略ラッパ状を呈してなり、プレス絞り加工による一体成形品もしくは構成板必要枚の端部同士を溶着した凹凸、隙間のない一体成形品で形成され、フード部ａの下方開放部よりも僅かに大きな平面積になっており、その下方開放部を開閉可能に被蓋している。
また、フードカバー４は、婦女子でもグリスフィルター６の係脱部16を備えた頂面24に手が届く程度の深さにすることによって日常的な家庭清掃時に付着した油脂分等を拭き取ることができるように配慮してある。
その係脱部16は開口16ａとその開口16ａ周縁から上方に向けて突設したフィルター枠16ｂとで形成され、従来と同様にフィルター枠16ｂへのグリスフィルター６の抜き差しが下方から行えるようにしてある。
【００１０】
また、このフードカバー４の縁枠部14は図２に示すように後縁を除く３縁を上側に向くように略Ｌ形状をもって折曲して形成されている。
そして、このフードカバー４は、その後縁部分をフード部ａの開放縁の後縁にクリアランスａ１を確保して抜き差し可能に引っ掛け、更に前縁とフード部ａの開放縁の前縁とを取着手段７で取着してある。
【００１１】
引っ掛け部は、前記するフードカバー４の後側の縁枠部14部分から下向きＬ形状に折曲形成した引っ掛け片14ａであり、被引っ掛け部は、前記フード部ａの後縁から上向きＬ形状に折曲形成した既設の油受け21ａであり、この油受け21ａに引っ掛け片14ａを引っ掛けてフードカバー４を前後方向に回動可能に支承している。
また、その油受け21ａの水平面の幅寸法分が前記フードカバー４を前後移動可能とするクリアランスａ１として使用されるようになっている。
【００１２】
取着手段７は、フードカバー４の前側の縁枠部１４の部分に設けられる係合部１７ｂと、この係合部１７ｂと対応するフード部ａの開放縁部分に設けられる仮止め機構１７、この仮止め機構１７に係合部１７ｂを係止させた状態で、フードカバー４を仮止め機構１７に解除可能に締結するための連結具２７とを備えて構成されている
【００１３】
仮止め機構１７は、図３に示すように、フード部ａの前縁である前板２の下端左右両側部分に取り付けられる被係止部１７ａを備え、この被係止部（１７ａ）にフードカバー（４）の係合部（１７ｂ）が面係合状に係止されるように形成されている。
【００１４】
被係止部17ａは、同図に示すように前板２下端両コーナー近傍の油受け２ａに端部を溶着等適宜手段で固着して片持ち状にした前方の室内天井方向に向かって上向き傾斜状になっている本体板部17ａ‘から被係止板17ａ“をその本体板部17ａ’と同様な角度をもって前方に延設して形成されている。
【００１５】
係合部17ｂは、同図に示すように前記被係止部17ａと対応してフードカバー４の前側の縁枠部14から内向き(背後方向)に折曲した縁片で構成してあり、前記被係止板17ａ“に面係合状となる傾斜状になっている。
この係合部17ｂを前記被係止部17ａ“に面係合状に係止した使用状態においてフードカバー４の引っ掛け片14ａがフード部ａの背板21に当接し、その引っ掛け片14ａの前方に実際のクリアランスａ１が確保される構成されている。
【００１６】
連結具27は、同図に示すようにネジであり、フードカバー４の前縁コーナー部位と前記被係止部17ａの本体板部17ａ‘とを解除可能に締結する。
尚、この実施の形態ではフードカバー４のコーナー部位に樹脂ピース34を一体形成し、この樹脂ピース34と前記本体板部17ａ‘とを締結解除可能に連結している。
【００１７】
接続ダクト５は、図１に示すように前記係脱部16よりも一回り大きな面積を有する矩形な下端口15と、送風機３の吸気口13に連通する連絡口25ｂを開口した垂直状の矩形板部25ａとを後方に向かう湾曲胴部25で連設した側面視略ベンド管形態を呈してなり、前記フードカバー４の頂面24に係脱部16を包囲するように下端口15をパッキン(図示せず)等を介在した状態で着脱可能に取着してある。
図２において符号８、８がその接続ダクト５を着脱可能にネジ等で取着する一対の平行な取付板である。
【００１８】
斯様に構成されているレンジフードファンＡは調理器具から立ち上ぼる廃ガス100をフードカバー４の懐空間（廃ガス捕獲空間）で室内に漏気させずに取り込む。その廃ガスは頂面24のグリスフィルター６に案内され、そこで廃ガスに含有される油脂分等を吸着除去されて送風機３の吸込作用で接続ダクト５、ファンケーシング23、排気ダクト９を介して屋外に排気される。
【００１９】
そして、油脂分等はフードカバー４、グリスフィルター６に付着し、またグリスフィルター６を通過する汚れは接続ダクト５の内面に徐々に付着するも、清掃する時には、油脂分等の付着が激しいフードカバー４は手を伸ばして日常的な日々の清掃時に拭き取り、また同様に丸洗いしたい時のグリスフィルター６は手を伸ばし取り外して行う。
接続ダクト５の清掃は日々行うものではないが、清掃する時には下方から前記連結具27を外して取り外されたフードカバー４から接続ダクト５自体を外して行えばよい。この接続ダクト５は拭き取り面積が縮減され尚且つ凹凸の無い平面と曲面とからなる拭き易い形態である。そのため、従来のフード部ａ内面を清掃する時のようにフランジ等の鋭利な突起物で怪我したり、微小な隙間にこびり付いた油脂分等の除去が労苦になることもない。
【００２０】
また、前記のようにフード部ａの前縁の被係止部17ａの上面にフードカバー４前縁の係合部17ｂが面係合状に係止する仮止め構造にしているため、連結具27の締結を解いてもフードカバー４が回動することはなく、その上、その被係止部17ａを前方の室内天井方向に向かって上向き傾斜状にしていることから、故意にフードカバー４を前方斜め上向きに引き出さなければその係止関係が解除されず、締結解除の動作やその振動等でふいにフードカバー４が落下(回動)して使用者が怪我をするようなアクシデントを防止することができる。
【００２１】
尚、前記実施の形態ではフードカバー４が接続ダクト５を有する場合を詳述しているも、図示しないが接続ダクトが無い場合でも包含するものである。
また、接続ダクトが送風機に取着され、使用時にフードカバーの頂面に接続ダクトの下端口が当接状となるレンジフードファンでも良いものである。この場合にはフィルタ枠16と接続ダクトの下端口15の口縁との間に前記クリアランスａ１以上のスペースを確保しておけば良いものである。
【００２２】
次に図５に示すレンジフードファンを説明すると、このレンジフードファンＡは偏平状の平型を示し、フードカバー４の中央部の凹窪量が小さな点、接続ダクトを具備しない点を除いて、前記する実施の形態と差異はないため同一符号を付し具体的な説明は省略する。
【００２３】
図６に示す実施の形態は前記被係止部17ａを前板２下縁の油受け２ａで兼用し、係合部17ｂをフードカバー４の前側の縁枠部14部分に前向きに折曲(起設)した掛け片で構成したものである。連結具27は、油受け11ａの底面とその掛け片17ｂとを締結するネジである。他の構成で前記実施の形態と相違する点は、クリアラスａ１を前記引っ掛け片14ａとフード部ａの背板21との間、即ち後方に確保した点と、接続ダクト５を具備しない点であり、締結を解いた後、フードカバー４を後方に移動(スライド)させることによって係止を解除して回動し抜き取ることができる。
【００２４】
図７および図８に示す実施の形態は、前記した実施の形態の取着手段７を構成する仮止め機構１７を、フードカバー４を下側へ人為的に引き下げることによって係合関係が解除されるように形成されている弾性係合機構３７に変更したものである。
すなわち、この実施の形態では、取着手段７を、図７に示すように、ネジからなる連結具２７と、弾性係合機構３７とを備えて構成している。
弾性係合機構３７は、図７および図８に示すように、フードカバー４の前側の縁枠部１４の裏面（上面）に上向きに固着される被挟持部３７ａと、この被挟持部３７ａに対応する前板２の油受け２ａの底面に、被挟持部３７ａが弾性的に抱持されるように下向きに固着される一対の弾性挟持部３７ｂとを備えて構成されている。
連結具２７は、図７に示すように、ネジ２７である。
この実施の形態の場合には、連結具２７による締結状態を解除させた後に、前記した各実施の形態のように、クリアランスａ１を利用してフードカバー４を移動させずに、フードカバー４を人為的に下方に引き抜くだけでフードカバー４を下方へ回動させてフード部ａを開放することができるようにしている。
【００２５】
図９及び図１０に示す実施の形態は、図１乃至図４に示す連結具であるネジ27を回転可能で且つ落下不能に支承したものである。
【００２６】
この実施の形態の場合には前記樹脂ピース34内にその底部分から上端を開放した筒状部34ａを立設すると共に、図１０に示すようにフードカバー４のコーナー部位にその樹脂ピース34を嵌着固定した際、フードカバー４に、丁度筒状部34ａの上端の開放部を被蓋する位置に塞ぎ板44を固着し、その塞ぎ板44にローレットネジ27のネジ軸27ａのみを上方に挿通させる切欠44ａもしくは挿通孔を形成し、筒底にネジ頭部27ｂよりも小径な操作口34ｂを開口している。
この実施の形態では、ローレットネジ27の締結を解いてもそのローレットネジ27は落下することがない。
【００２７】
次に、図１１及び図１２の実施の形態を説明すると、ネジ等の連結具27を使用しない場合の形態である。この実施の形態は、前述する弾性係合機構37を、フード部ａの前板２裏面と、その部分に対応するフードカバー４の裏面部分とのどちらか一方に固着された被挟持部37ａ、その被挟持部37ａが弾性的に挟持される一対の弾性挟持部37ｂとで構成し、更にフードカバー４の前側の縁枠部14に前記前板２の油受け２ａに係止される逆Ｌ形状の掛け片14ｂを曲設し、更に引っ掛け部14ａであるフードカバー４の後縁とフード部ａの背板21との間にフードカバー14を移動可能とするクリアランスａ１を設けている。
この実施の形態の場合には、フードカバー４を下方に引き抜いて弾性挟持部37ｂと被挟持部37ａとの連結を解除すると、図１２に示すように掛け片14ｂが前板２の既設の油受け２ａに係止してフードカバー４が誤回動することを防止し、浮上させてクリアランスａ１を利用して油受け２ａに対する掛け片14ｂの係止関係を解除するようにフードカバー４を後方に移動させて初めてフードカバー４を回動することができる。
【００２８】
尚、平型のレンジフードファンについては図５に示す一例のみを説明したが、記載する他の実施の形態の仮止め機構や弾性係合機構を使用すること勿論自由である。
【００２９】
【発明の効果】
本発明は以上のように構成したので、下記の利点がある。
フード部内の清掃や送風機のメンテナンスなどを理由として、フード部を開放するときにネジなどの連結具を外してもフードカバーはフード部との引っ掛け部を支点として下方に回動することがない。そして、クリアランスを利用してフードカバーを人為的に移動させたり、人為的に引っ張ることで、初めてフード部を開放する方向にフードカバーを回動させることができる。
このために、フードカバーが落下しないように手で支えながらネジを外すような厄介な作業を行うことなく、フード部を開放することができために、安全である。
しかも、ネジなどの連結具を解除しても、フード部を被係止部に沿うように室内方向斜め上方に向けて故意に引き出さなければ、係止関係が解除されない安全な誤落下防止策を持たせることができために、連結具を解除した拍子にフードカバーが移動したとしてもフードカバーが回動するようなアクシデントを確実に回避することができる。
また、フード部を開放するときに、フードカバーを回動させる引っ掛け部として、フード部に備えられている既設の油受けで兼用していることから、フード部に何ら改造を加える必要がなく、フードカバーをフード部に対して可動可能に取り付けることができることで、製作コストも低減することができる。
また、仮止め用の弾性係合機構を用いることで、ネジなどの連結具を使用せずにフードカバーを固定し、その固定がアクシデントなどで解除されるようなことがあってもフードカバーが誤回動するおそれがないことから、フードカバーの着脱における取扱いが非常に簡単で、使用者の対する安全性の向上が図られる。
その上、フードカバーのフード部に対する引っ掛け状態を解除するように、フードカバーを若干上方に上げてから手前に引き出せば、フードカバーをフード部から取り外すことができる。これにより、グリスフィルターを外すときや接続ダクトを外すときにフードカバーを外すのも造作ないものである。
【図面の簡単な説明】
【図１】レンジフードファンの側面図で一部切欠して示す。
【図２】フードカバーの裏面側からの斜視図で一部切欠して示す。
【図３】係合部と被係止部との関係を示す要部の斜視図で部分的に示し、(イ)は係止状態を示し、(ロ)は分離状態を示す。
【図４】引っ掛かけ部分を示す拡大断面図。
【図５】他の実施の形態の側面図で一部切欠して示す。
【図６】更に他の実施の形態の側面図で一部切欠示す。
【図７】他の実施の形態の側面図で一部切欠して示す。
【図８】要旨の拡大斜視図で一部切欠して示す。
【図９】別の実施の形態の部分側面図で一部切欠して示す。
【図１０】樹脂ピース部分の斜視図、フードカバーへの嵌着状態を示す。
【図１１】更に他の実施の形態の側面図で一部切欠し中間省略して示す。
【図１２】フードカバーを回動する場合を示す同側面図で一部切欠し中間省略して示す。
【符号の説明】
３：送風機                    ４：フードカバー
５：接続ダクト                ６：グリスフィルター
ａ：フード部                ａ１：クリアランス
７：取着手段                １３：吸気口
１４ａ：引っ掛け片部            １７：仮止め機構
１７ａ：被係止部              １７ｂ：係合部
２５：湾曲胴部 ２５ａ：矩形板部
２５ｂ：連絡口                  ２７：連結具(ネジ、ローレットネジ)
３７：弾性係合機構    ２ａ，２１ａ：油受け
２：前板
【図１】
0003974258.tif 000002
【図２】
0003974258.tif 000003
【図３】
0003974258.tif 000004
【図４】
0003974258.tif 000005
【図５】
0003974258.tif 000006
【図６】
0003974258.tif 000007
【図７】
0003974258.tif 000008
【図８】
0003974258.tif 000009
【図９】
0003974258.tif 000010
【図１０】
0003974258.tif 000011
【図１１】
0003974258.tif 000012
【図１２】
0003974258.tif 000013